(57)【要約】【課題】比較的簡単な構造で異物の誤挿入を抑制することが可能なコンセントを提供する。【解決手段】電源プラグの端子を挿入する端子挿入口１ａａが貫設されたカバー部１ａとカバー部１ａにおける前記端子が挿入される正面側と反対の背面側に突出する軸部１ｂとを一体成形したカバー体１と、軸部１ｂに軸支されており端子挿入口１ａａを閉塞する扉部２ａと扉部２ａと隣接して配され端子挿入口１ａａを開放する貫通孔部２ｃとを備え前記端子の端子挿入口１ａａへの挿入時に軸部１ｂの軸回りに回動して前記端子が貫通孔部２ｃに挿通可能な扉体２と、扉体２をカバー体１ａと反対面側より支持して扉体２が軸部１ｂから抜け出ることを抑制する扉体受け部４ａを備えたボディ体４と、カバー体１とボディ体４側との間に配され扉部２ａが端子挿入口１ａａを閉塞するように扉体２を軸回りに付勢するばね体３とを有するコンセント１０である。【選択図】図１
2013161724.tif 000002
【特許請求の範囲】
【請求項１】
電源プラグの端子を挿入する端子挿入口が貫設されたカバー部と該カバー部における前記端子が挿入される正面側と反対の背面側に突出する軸部とを一体成形したカバー体と、
前記軸部に軸支されており前記端子挿入口を閉塞する扉部と該扉部と隣接して配され前記端子挿入口を開放する貫通孔部とを備え前記端子の端子挿入口への挿入時に前記軸部の軸回りに回動して前記端子が前記貫通孔部に挿通可能な扉体と、
前記扉体を前記カバー体と反対面側より支持して前記扉体が前記軸部から抜け出ることを抑制する扉体受け部を備えたボディ体と、
前記カバー体側と前記ボディ体側との間に配され前記扉部が前記端子挿入口を閉塞するように前記扉体を前記軸回りに付勢するばね体とを有することを特徴とするコンセント。
【発明の詳細な説明】
【技術分野】
【０００１】
本発明は、コンセントに関するものである。
【背景技術】
【０００２】
従来より、コンセントにおいて、安全性などの見地から電源プラグの端子が挿入される端子挿入口に端子以外の異物が挿入されることを抑制するものが提供されている。
【０００３】
この種のコンセントとして、たとえば、図１３に示すように、栓刃端子挿入口１０９、１０９を備えた蓋体（以下、第１蓋体という）１０５に栓刃端子挿入口閉塞蓋体（以下、第２蓋体という）１２０をタッピングスクリュー１３０により螺子止め固定した回転扉付きコンセントが知られている（特許文献１を参照）。
【０００４】
特許文献１のコンセントは、第２蓋体１２０の底面軸心に設けたトルクスプリング１２５を嵌装した軸杆１２２を、第１蓋体１０５に設けた円形溝１０６の底面軸心に穿設した軸杆嵌合孔１０８に嵌合させている。コンセントは、トルクスプリング１２５の下端部をスプリング嵌合孔１０７に嵌合係止させ、トルクスプリング１２５のバネ力により第２蓋体１２０が第１蓋体１０５に対し反復回動自在になっている。
【０００５】
コンセントは、使用に際し、第２蓋体１２０の板面に穿設した栓刃差込口１２１、１２１に電源プラグの端子たる栓刃端子の先端部を差し込み、トルクスプリング１２５のバネ力に抗して第２蓋体１２０を一定方向（通常右方向）に回動させる。これにより、コンセントは、第２蓋体１２０の板面に穿設した栓刃差込口１２１、１２１を第１蓋体１０５に設けた端子挿入口たる栓刃端子挿入口１０９、１０９に合致させ電源プラグの栓刃端子を器台１０１に収納した刃受端子１０３、１０３に差し込み接続することができる。また、コンセントは、電源プラグの栓刃端子を引き抜くことにより、第２蓋体１２０がトルクスプリング１２５の反発バネ力により元の状態に復帰し、第１蓋体１０５に設けた栓刃端子挿入口１０９、１０９を閉塞する。
【０００６】
このような、コンセントは、栓刃端子が挿入されていない場合、端子挿入口である栓刃端子挿入口１０９を扉体となる第２蓋体１２０が閉塞することにより、異物の混入を抑制することが可能となる。
【先行技術文献】
【特許文献】
【０００７】
【特許文献１】特開２００１−６８１９９号公報
【発明の概要】
【発明が解決しようとする課題】
【０００８】
ところで、上述の特許文献１のコンセントでは、電源プラグの端子が挿入される端子挿入口を閉塞する扉体である第２蓋体１２０を軸支するために、タッピングスクリュー１３０を用いている。タッピングスクリュー１３０は、一般に、樹脂と比較して強度の高い金属材料が用いられている。そのため、コンセントは、扉体を軸支する金属材料の分だけ部品点数が多くなり、構造が複雑で製造コストが高くなる傾向にある。より簡便な構成で、異物の誤挿入の抑制可能なコンセントが求められている現在においては、上述のコンセントの構成だけでは十分ではなく、更なる改良が求められている。
【０００９】
本発明は上記事由に鑑みて為されたものであり、その目的は、比較的簡単な構造で異物の誤挿入を抑制することが可能なコンセントを提供することにある。
【課題を解決するための手段】
【００１０】
本発明のコンセントは、電源プラグの端子を挿入する端子挿入口が貫設されたカバー部と該カバー部における上記端子が挿入される正面側と反対の背面側に突出する軸部とを一体成形したカバー体と、上記軸部に軸支されており上記端子挿入口を閉塞する扉部と該扉部と隣接して配され上記端子挿入口を開放する貫通孔部とを備え上記端子の端子挿入口への挿入時に上記軸部の軸回りに回動して上記端子が上記貫通孔部に挿通可能な扉体と、上記扉体を上記カバー体と反対面側より支持して上記扉体が上記軸部から抜け出ることを抑制する扉体受け部を備えたボディ体と、上記カバー体側と上記ボディ体側との間に配され上記扉部が上記端子挿入口を閉塞するように上記扉体を上記軸回りに付勢するばね体とを有することを特徴とする。
【発明の効果】
【００１１】
本発明のコンセントは、比較的簡単な構造で異物の誤挿入を抑制することが可能になるという効果がある。
【図面の簡単な説明】
【００１２】
【図１】本実施形態のコンセントを示す正面側から見た分解斜視図である。
【図２】本実施形態のコンセントを示す背面側から見た分解斜視図である。
【図３】本実施形態のコンセントの要部を示し、（ａ）は正面図、（ｂ）は右側面図、（ｃ）は背面図である。
【図４】本実施形態のコンセントの別の要部を示し、（ａ）は正面図、（ｂ）は右側面図、（ｃ）は背面図である。
【図５】本実施形態のコンセントの他の要部を示し、（ａ）は正面図、（ｂ）は右側面図、（ｃ）は背面図である。
【図６】本実施形態のコンセントを示す正面図である。
【図７】本実施形態のコンセントを示す左側面図である。
【図８】本実施形態のコンセントを示す背面図である。
【図９】本実施形態のコンセントを示す底面図である。
【図１０】本実施形態のコンセントを示す斜視図である。
【図１１】本実施形態のコンセントを示し、図６のＡＡにおける断面説明図である。
【図１２】本実施形態のコンセントを示し、図６のＢＢにおける断面説明図である。
【図１３】従来のコンセントを示す斜視図である。
【発明を実施するための形態】
【００１３】
以下、本実施形態のコンセント１０について、図１ないし図１２に基づいて説明する。なお、図中において、同じ部材に対しては、同じ番号を付して重複する説明を省略する。
【００１４】
本実施形態のコンセント１０は、図１および図２に示すように、電源プラグ（図示していない）の端子を挿入する端子挿入口１ａａが貫設されたカバー部１ａとカバー部１ａにおける上記端子が挿入される正面側と反対の背面側に突出する軸部１ｂ（図２を参照）とを一体成形したカバー体１を有している。コンセント１０は、軸部１ｂに軸支される扉体２を有している。扉体２は、端子挿入口１ａａを閉塞する扉部２ａと扉部２ａと隣接して配され端子挿入口１ａａを開放する貫通孔部２ｃとを備えている。扉体２は、上記端子の端子挿入口１ａａへの挿入時に軸部１ｂの軸回りに回動して上記端子が貫通孔部２ｃに挿通可能としている。また、コンセント１０は、扉体２をカバー体１ａと反対面側より支持して扉体２が軸部１ｂから抜け出ることを抑制する扉体受け部４ａを備えたボディ体４を有している。さらに、コンセント１０は、カバー体１側とボディ体４側との間に配され扉部２ａが端子挿入口１ａａを閉塞するように扉体２を上記軸回りに付勢するばね体３を有している。
【００１５】
本実施形態のコンセント１０は、たとえば、図示していない壁面に設けたソケットに差し込んで取り付けられる。コンセント１０は、コンセント１０の接続端子４ｃをソケットの挿入口に挿入してコンセント１０側とソケット側とを電気的に接続させることが可能なものである。また、本実施形態のコンセント１０は、図示していない各種の電気器具の電源プラグが取り付けられる。コンセント１０は、電気器具の電源プラグの端子を端子挿入口１ａａに挿入してコンセント１０側と電気器具側とを電気的に接続させることが可能なものである。本実施形態のコンセント１０には、コンセント１０の正面側に上記電源プラグの端子を挿入する一対の端子挿入口１ａａ，１ａａと、コンセント１０の背面側にソケットに差し込む一対の接続端子４ｃ，４ｃとを備えている。なお、本実施形態のコンセント１０は、ＩＥＣＥＥ（IEC System for Conformity Testing to Standards for Safety of ElectricalEquipment）のＣＥＥ７／４やＣＥＥ７／５などで規定されている電源プラグが接続可能な構造としている。同様に、本実施形態のコンセント１０は、ＩＥＣＥＥのＣＥＥ７／４やＣＥＥ７／５などで規定されているソケットと接続可能な構造としている。
【００１６】
本実施形態のコンセント１０は、送信機（図示していない）から送信する無線や赤外線などの指示信号を受信する受信機を内蔵している。また、コンセント１０は、給電側となるソケットと電気器具側との間の電気的な接続と電気的な接続解除とを行うように制御する制御回路を内蔵している。コンセント１０は、たとえば、内部の受信機が送信機からの指示信号を受信し、受信機と電気的に接続された制御回路が指示信号に基づき壁面のソケットから電気器具側への給電と給電の停止とを切替える。コンセント１０は、たとえば、コンセント１０から離れた人が送信機を操作することで、壁面のソケット側から照明器具などの電気器具側への給電および給電の停止を行う。これによりコンセント１０は、遠隔操作を行う機能を備えていない照明器具をコンセント１０を介して壁面のソケット側に接続させるだけで、照明器具を送信機により点灯や消灯などさせることが可能となる。なお、コンセント１０は、受信機を備えた構成だけでなく、給電と給電の停止とを人の存在の有無で行うため、人感センサなどのセンサ装置を備えたものでもよい。コンセント１０は、漏電防止装置などの機能を備えるものでもよい。また、コンセント１０は、壁面に設けたソケットと接続させるものだけに限られない。コンセント１０は、受信機を備えることなく、壁面側に埋め込まれた配線器具自体として利用するものでもよい。
【００１７】
コンセント１０は、分離可能なカバー体１とボディ体４とを備えている。カバー体１とボディ体４とは、カバー体１とボディ体４とを嵌め合わせて内部が空洞な箱状体を構成している。カバー体１およびボディ体４は、たとえば、電気絶縁性の樹脂材料を用いて形成することができる。本実施形態のコンセント１０は、有底角筒状のカバー体１と有底角筒状のボディ体４とを嵌め合わせて構成している。なお、カバー体１は、図３で図示しており、図３（ｂ）に示すカバー体１の右側面図と図示していない左側面図とは対称形である。また、ボディ体４は、図４で図示しており、図４（ｂ）に示すボディ体４の右側面図と図示していない左側面図とは対称形である。
【００１８】
カバー体１は、正面視の外形が矩形状であり、長手方向の一端部側の中央部に有底円筒状の凹部１ｃを備えている。カバー体１は、正面側において、凹部１ｃの内底面に、上記電源プラグにおける一対のピンそれぞれが挿入される一対の端子挿入口１ａａ，１ａａが貫設されている。各端子挿入口１ａａは、正面視において、上記電源プラグの円柱状のピンが挿入できるように円形としている。カバー体１は、凹部１ｃの内側の形状を上記電源プラグが挿入可能な形状としている。上記電源プラグは、図示していないが、凹部１ｃに挿入される上記電源プラグの外形形状が円柱状をしており、円柱から円柱の一部を円弧柱状に切欠かれた残りに側端部を有する形状のものを利用することができる。凹部１ｃは、上記電源プラグが挿入される位置に上記電源プラグの側端部に対応する一対の突出部１ｃａ，１ｃａを上記電源プラグ側の一対の側端部それぞれに対応して備えている。コンセント１０は、カバー体１の凹部１ｃに設けられた複数個（ここでは、４個）の突出部１ｃａにより、円柱状の上記電源プラグがコンセント１０に対して回動することを抑制可能としている。
【００１９】
また、カバー体１は、隣接する一組の突出部１ｃａ，１ｃａが凹部１ｃにおいて対向して一対設けられおり、対向する突出部１ｃａ，１ｃａ間の線分と直交する凹部１ｃの内壁面から凹部１ｃの内底面にかけてスリット状の一対の開口部１ｃｂ，１ｃｂを備えている（図１および図３を参照）。コンセント１０は、上記電源プラグを挿入した場合、上記電源プラグに弾接して上記電源プラグが凹部１ｃから脱落することを規制し、留め具として機能可能な接触片４ｂａを各開口部１ｃｂから突出させている。一対の接触片４ｂａは、各開口部１ｃｂから突出し凹部１ｃの内径を狭めて上記電源プラグに弾接できるように湾曲している。本実施形態のコンセント１０は、接触片４ｂａが上記電源プラグ側と電気的に接地可能な機能も併せ持たせている（図１、図６、図１０ないし図１２を参照）。
【００２０】
本実施形態のコンセント１０では、外形がＣ字状でＣ字状の開放端部に接触片４ｂａを備えた金属（たとえば、銅や銅合金など）からなる弾性部材４ｂを内蔵している。弾性部材４ｂは、板材の折り曲げ加工により形成することができる。弾性部材４ｂは、固定螺子８ｂｃ，８ｂｃを弾性部材４ｂの基部４ｂｃに設けた螺子孔４ｂ１，４ｂ１に挿通しカバー体１の背面側に設けたボディ体４側と螺子止めしている。また、固定螺子８ｂｃは、ボディ体４の背面側に配された端子受けばね４ｄを固定している。端子受けばね４ｄは、壁面側のソケットから突出する丸ピン状の接地端子（図示していない）と当接可能に構成している（図１、図８、図１２を参照）。端子受けばね４ｄは、金属（たとえば、銅や銅合金など）により構成された板材の折り曲げ加工により形成することができる。さらに、端子受けばね４ｄは、ボディ体４の背面側に配され、外形がＣ字状で金属（たとえば、銅や銅合金など）からなる接地部材４ｇと電気的に接続している。接地部材４ｇは、上記接地端子を挿通可能な挿通孔４ｇ１が貫設された基端片４ｇｃと、基端片４ｇｃの両端から延出する側端部位４ｇｂと、側端部位４ｇｂから延出する固定片４ｇａとを一体的に形成している。接地部材４ｇは、金属（たとえば、銅や銅合金など）により構成された板材の折り曲げ加工により形成することができる。接地部材４ｇは、接地部材４ｇの先端部となる固定片４ｇａそれぞれに固定螺子８ｂｃと螺子合いする螺子孔４ｇ２を設けている。外形がＣ字状の接地部材４ｇは、一方の先端部における固定片４ｇａと端子受けばね４ｄとを固定螺子８ｂｃにより螺子止めされている。
【００２１】
また、コンセント１０は、ボディ体４の背面側に突出する円筒部４ｆの側面に設けた切欠部４ｆ１において、接地部材４ｇの側端部位４ｇｂを表面に露出するように設置している（図１、図４、図８ないし図１０、図１２を参照）。接地部材４ｇは、壁面のソケット側に設けられた接地端子部（図示していない）と接地部材４ｇの側端部位４ｇｂとを電気的に接続することもできる。
【００２２】
さらに、コンセント１０は、壁側に設けたソケットの挿入口に挿入される一対の接続端子４ｃ，４ｃを備えている。各接続端子４ｃは、円柱状の金属製のピンからなり、ボディ体４との一体成形によりボディ体４に固定されている（図１１を参照）。螺子８ｃａは、コンセント１０の内部において給電端子４ｅを介してボディ体４側の接続端子４ｃに固定している。給電端子４ｅは、螺子８ｃａが挿通される螺子孔４ｅ１ａが設けられた端子部４ｅ１と、端子部４ｅ１の端部に接続されたＳ字部４ｅ２と、Ｓ字部４ｅ２の端部に接続された端子片４ｅ３とを備えている。給電端子４ｅは、金属（たとえば、銅や銅合金など）製の板材の折り曲げ加工により形成することができる。
【００２３】
また、コンセント１０は、コンセント１０の内部において、上記電源プラグの端子と電気的に接続される端子受部４ｉを備えている。端子受部４ｉは、対向する一対の半円筒状の端子受けばね部４ｉ１，４ｉ１と、各端子受けばね部４ｉ１を保持する保持片４ｉ３と、保持片４ｉ３から延出する端子片４ｉ２とを備えている。端子受部４ｉは、金属（たとえば、銅や銅合金など）製の板材の折り曲げ加工により形成することができる。端子受部４ｉは、螺子８ｉａのボディ体４への螺子合いにより固定されている。
【００２４】
カバー体１は、正面視において、長手方向の他端部側の中央部に、円形の窪み部１ｉを備えている。窪み部１ｉは、カバー体１の背面側で突出する有底筒状部１ｉａを構成している。窪み部１ｉは、有底筒状部１ｉａの底面において正面視が円形の貫通孔１ｉｂを備えている（図１、図２、図３および図１２を参照）。コンセント１０は、カバー体１の正面視において、外形が窪み部１ｉと相似形で窪み部１ｉより若干小さい円形の保護カバー６ａａを、カバー体１の正面側からカバー体１の窪み部１ｉに挿入して保持している（図６、図７、図９ないし図１２を参照）。保護カバー６ａａは、コンセント１０の内部に配置される表示灯６ａを覆って保護可能な有底筒形状としている。
【００２５】
また、カバー体１には、カバー部１ａにおける上記電源プラグの端子が挿入される正面側から窪んだ凹部１ｃが、カバー部１ａの正面側と反対の背面側において突出している。カバー体１は、図２に示すように、凹部１ｃの外底面に、外底面の中央部からカバー部１ａの背面側に突出する軸部１ｂを備えている。また、カバー体１は、凹部１ｃの外底面において、中央部に配置された軸部１ｂを中心として、一対の規制壁１ｄ，１ｄを対称に突設している。規制壁１ｄは、端子挿入口１ａａに近接して配置している。一対の規制壁１ｄ，１ｄは、軸部１ｂの軸回りに一対の端子挿入口１ａａ，１ａａと近接して配置されている（図２、図３を参照）。また、規制壁１ｄは、凹部１ｃの外底面から突出した矩形状としている。さらに、カバー体１には、カバー部１ａの背面側において、凹部１ｃの外底面から外底面の外周に沿って突出し、円環の一部からなる分離壁１ｋを備えている。分離壁１ｋは、コンセント１０の内部において、表示灯６ａなどが実装される空間側と、扉体２が配置される空間側とを空間的に分離するために好適に設けている。
【００２６】
扉体２は、図５に示すように、カバー体１の軸部１ｂが挿入される挿通孔２ｂを扉体２の中央部に設けている。扉体２は、軸部１ｂに軸支されている。扉体２は、一対の端子挿入口１ａａ，１ａａそれぞれを閉塞する一対の扉部２ａ，２ａと、各扉部２ａと隣接して配され一対の端子挿入口１ａａ，１ａａそれぞれを開放する一対の貫通孔部２ｃ，２ｃとを備えている。扉体２は、平面視において、中央部の挿通孔２ｂを中心として、一対の貫通孔部２ｃ，２ｃを対称に配置している。貫通孔部２ｃは、平面視において、軸部１ｂが挿通される挿通孔２ｂを中心とする円形の一部からなる扇状から軸部１ｂ側の一部の扇状部分を切欠いた形状としている。扉体２は、中央部の挿通孔２ｂを中心にして、対称形であり、扉体２が軸部１ｂの軸回りに回動する回動方向に沿って貫通孔部２ｃと隣接する位置に扉部２ａを配している。
【００２７】
扉体２は、上記電源プラグの端子の端子挿入口１ａａへの挿入時にカバー体１の軸部１ｂの軸回りに回動して、扉部２ａが端子挿入口１ａａを閉塞する位置から端子挿入口１ａａを開放し上記電源プラグの端子が貫通孔部２ｃに挿通可能な位置に回動することができる。また、扉体２は、一対の貫通孔部２ｃ，２ｃそれぞれに、対応する規制壁１ｄ，１ｄが挿入される。そのため、扉体２は、カバー体１に対し、軸部１ｂの軸回りの回動がカバー体１の規制壁１ｄによって規制される。言い換えれば、扉体２は、扉部２ａが端子挿入口１ａａを閉塞する閉位置と、上記電源プラグの端子が貫通孔部２ｃを挿通可能な端子挿入口１ａａを開放する位置とに回動可能としている。扉体２は、軸部１ｃの軸回りに回動して上記電源プラグの端子が挿入しやすいように、扉部２ａが扉体２の回動方向に沿って上記電源プラグの端子の挿入方向における奥側に傾斜する傾斜面を備えている。また、扉体２は、扉部２ａの傾斜面の奥側で扉部２ａと貫通孔部２ｃとの境界に突起部２ａａを設けている。コンセント１０は、突起部２ａａにより、たとえば、先端が尖った異物がコンセント１０の内部に簡単に挿入されることを抑制することができる。
【００２８】
本実施形態のコンセント１０は、扉体受け部４ａを備えたボディ体４を有している。扉体受け部４ａは、扉体２をカバー体１と反対面側より支持して扉体２が軸部１ｂから抜け出ることを抑制する。ボディ体４は、ボディ体４とカバー体１とが係合した際に、扉体受け部４ａが扉体２の背面側と当接し扉体２を保持可能としている。また、本実施形態のコンセント１０は、カバー体１の軸部１ｂと当接可能なプリント配線板５ａを備えている。プリント配線板５ａは、表示灯６ａや表示灯６ａと電気的に接続される受信機の電子部品を実装している。また、プリント配線板５ａは、壁面のソケット側と電気器具側との間の電気的な接続と接続解除とを行うように制御する制御回路を構成するため電子部品を実装している。さらに、プリント配線板５ａは、雷サージ防護デバイス、円筒型のヒューズ６ｂ、異常発熱抑制のための温度ヒューズ６ｃや漏電防止用のリレー６ｄなどの各種の電子部品を実装している。プリント配線板５ａは、外形を矩形の平板状に形成している。プリント配線板５ａは、表示灯６ａ、コンデンサ６ｂ、抵抗６ｃやリレー６ｄなどの電子部品を実装している。プリント配線板５ａには、図示していない配線パターンを形成しており、ソケットと接続する接続端子４ｃ側と、各種の電子部品と接続する端子受部４ｉ側とを電気的に接続できるように構成している。また、プリント配線板５ａに実装している表示灯６ａは、発光ダイオードにより構成することができる。表示灯６ａは、たとえば、赤色発光、緑色発光の点灯や点滅の区別により、コンセント１０が電子機器側と壁面のソケット側との電気的接続を行っている制御状態、コンセント１０の受信機の受信状態などを表示することができる。
【００２９】
表示灯６ａを覆う保護カバー６ａａは、表示灯６ａを保護するだけでなく、コンセント１０自体の受信機や制御回路への給電と給電の中止とを行うための操作を行う操作部としても機能している。保護カバー６ａａは、カバー体１の正面側から押圧されることで、保護カバー６ａａのコンセント１０内部側の先端部位６ｂａがプリント配線板５ａに実装しているスイッチ６ｅを押圧する（図１２を参照）。スイッチ６ｅは、コンセント１０自体の受信機や制御回路への給電と給電の中止とができるように受信機や制御回路などと電気的に接続させている。スイッチ６ｅは、たとえば、押すたびにオンとオフとが反転する位置保持型スイッチであるプッシュロックスイッチなどを利用することができる。なお、コンセント１０は、押圧された保護カバー６ａａが元の位置に復帰するように、保護カバー６ａａとカバー体１の有底筒状部１ｉａとの間に復帰ばね６ｆを配置している。
【００３０】
各接続端子４ｃは、各給電端子４ｅに電気的に接続されている。給電端子４ｅは、プリント配線板５ａに設けた接続孔５ｅに給電端子４ｅの端子片４ｅ３を挿入して、プリント配線板５ａ側と電気的に接続している。
【００３１】
また、コンセント１０は、上記電源プラグの端子がコンセント１０の端子挿入口１ａａから扉体２の貫通孔部２ｃを挿通して端子受部４ｉと電気的に接続される。端子受部４ｉは、プリント配線板５ａに設けた貫設孔５ｆに、保持片４ｉ３から延出した端子片４ｉ２の先端部を挿入して、プリント配線板５ａ側と電気的に接続している。なお、プリント配線板５ａには、端子受部４ｉの端子受けばね部４ｉ１を収容可能な開口部５ｇを設けている。また、コンセント１０は、端子受部４ｉと接続端子４ｃとがプリント配線板５ａを介して電気的に接続されているものの、直接的には電気的に接続されていない。
【００３２】
矩形の平板状のプリント配線板５ａは、長手方向の一端部側において、プリント配線板５ａの正面側とカバー体１の軸部１ｂとが当接している（図１１および図１２を参照）。また、軸部１ｂに挿入する扉体２は、ボディ体４の内底面側から突出する一対の扉体受け部４ａ，４ａで支持している。扉体２は、扉体２の背面側において、扉体２の当接面２ａｂが扉体２の挿通孔２ｂが設けられた中央部から延出してＸ字状となっている。すなわち、扉体２は、扉体２の背面側の中央部において、Ｘ字状の突設部２ｄを備えており、突設部の表面が当接面２ａｂを構成している。扉体２は、Ｘ字状の当接面２ａｂと、ボディ体４の内底面から突出する扉体受け部４ａとが当接する。本実施形態のコンセント１０では、上記電源プラグの端子の挿入時に端子が扉体２の扉部２ａを押圧することにより扉体２に掛かる力を扉体受け部４ａ側で受けている。なお、扉体受け部４ａは、ボディ体４と一体成形されボディ体４の内底面側から突出させた平行な一対の板状体で構成している。扉体受け部４ａは、一対の板状体それぞれがプリント配線板５ａの各開口部５ｇ，５ｇに挿通している。扉体受け部４ａは、一対の板状体が対向する対向面が矩形の各開口部５ｇ，５ｇの一辺に沿うように配置している。コンセント１０は、扉体２に掛かる力を扉体受け部４ａへの圧縮方向の力として受ける。そのため、コンセント１０は、樹脂と比較して強度の高い金属製のピンなどを用いて扉体２をカバー体１に軸支させる必要がなく、コンセント１０の構成を比較的簡単な構成とすることが可能となる。
【００３３】
言い換えれば、本実施形態のコンセント１０は、扉体２を軸支させる金属製のピンなどの代わりに、カバー体１と一体成形により設けた軸部１ｂにより扉体２を軸支している。本実施形態のコンセント１０は、コンセント１０の部品点数を金属製のピンなどの分だけ減少させ組立工程の簡略化も図ることができる。そのため、本実施形態のコンセント１０は、コンセント１０全体としての製造コストを削減することも可能となる。また、扉体２は、Ｘ字状の当接面２ａｂを備えていることにより、扉体２の背面側の全面が扉体受け部４ａと当接するものと比較して、扉体２が回転する際に生ずる扉体２と扉体受け部４ａとの摩擦力を低減させつつ、扉体２に掛かる力を分散させることが可能となる。このような扉体２は、電気絶縁性の樹脂材料（たとえば、ユリア樹脂等）を用いて射出成形などにより比較的簡単に形成することができる。なお、扉体受け部４ａは、一対の板状体の形状だけに限られず、ボディ体４側から突出する円筒体など種々の形状とすることができる。扉体受け部４ａは、ボディ体４との一体成形によりボディ体４の内底面側から突出するように形成している。これにより扉体受け部４ａは、扉体２からの押圧に対して機械的強度の高い構成を比較的簡単に形成することができる。また、扉体受け部４ａは、扉体２からの押圧に対して強度が確保できればボディ体４と一体に形成する場合だけに限られるものだけでなく、扉体受け部４ａとボディ体４とを別体に形成することもできる。
【００３４】
また、本実施形態のコンセント１０では、カバー体１と扉体２との間に外形が円筒状で螺旋に巻回したばね体３を備えている。ばね体３は、カバー体１の軸部１ｂに外挿されて配置している。ばね体３は、ばね体３の一端部をカバー体１の軸部１ｂ近傍に設けた切欠穴１ｇに挿入し、切欠穴１ｇの内部における係止片（図示していない）に引き掛けて係止している（図２、図３を参照）。また、ばね体３は、ばね体３の他端部を扉体２の挿通孔２ｂ近傍に設けた貫通穴２ｇに扉体２の正面側から挿入し、扉体２の背面側で引き掛けて係止している（図１、図２および図５を参照）。これにより、ばね体３は、扉部２が端子挿入口１ａａを閉塞するように扉体２を軸部１ｂの軸回りに付勢する。本実施形態のコンセント１０は、ばね体３がカバー体１と扉体２との間で軸部１ｂに外挿して設けられており、コンセント１０内部の空間を有効利用している。なお、コンセント１０は、螺旋に巻回したばね体３の代わりに、カバー体１とプリント配線板５ａとの間に配され扉体２に軸部１ｂの軸回りに付勢する板ばねを用いて構成してもよい。したがって、コンセント１０は、扉部２ａが端子挿入口１ａａを閉塞するように扉体２を軸部１ｂの軸回りに付勢するのが螺旋に巻回したばね体３の構成だけに限られない。また、ばね体３は、カバー体１と扉体２との間に配置するものだけに限られない。
【００３５】
コンセント１０は、カバー体１にボディ体４側と係合する係合爪部１ｈを備えている。係合爪部１ｈは、カバー体１の下側（図２の紙面の下側および図３の紙面の右側）の短手方向に沿って３個１組で一対設けている。係合爪部１ｈは、有底角筒状のカバー体１における筒状の枠部１ａ２および内底面側から離れるにつれ先端部が先細りする先細り形状に形成している。カバー体１は、枠部１ａ２と係合爪部１ｈとを一体成形により形成することができる。
【００３６】
また、コンセント１０は、ボディ体４の下側（図１および図４の紙面の右側）の短手方向に沿って、有底角筒状のボディ体４における筒状の枠体部４ａ２にボディ４の外側に突出する一対の側突片４ｈ、４ｈを備えている。各側突片４ｈは、カバー体１の複数個（ここでは、３個）の係合爪部１ｈと係合する係合孔（図示していない）が貫設されている。上記係合孔は、カバー体１の３個１組の係合爪部１ｈと係合することが可能な大きさに形成している。側突片４ｈは、有底角筒状のボディ体４の枠体部４ａ２に対して固定されている。ボディ体４の側突片４ｈは、枠体部４ａ２に対して弾性変形が可能な構成としている。ボディ体４は、枠体部４ａ２と側突片４ｈとを一体成形により形成することができる。言い換えれば、側突片４ｈは、外形がＣ字状となっており、枠体部４ａ２から突出して外部に露出する部位に上記係合孔が形成されている。コンセント１０は、カバー体１の枠部１ａ２側から内方へ突出する係合爪部１ｈを、ボディ体４の枠体部４ａ２から突出する側突片４ｈの上記係合孔に挿入させる。
【００３７】
カバー体１は、係合爪部１ｈと、係合爪部１ｈに対応する上記係合孔とをそれぞれ係合させることによって、カバー体１をボディ体４側に位置決めして固定させる。すなわち、コンセント１０は、カバー体１とボディ体４とを嵌め合わせて構成している。カバー体１は、背面側から見て矩形状の四隅のうち上側（図３の紙面の左側）の各隅部において、円柱状の突設部１ｅ，１ｅを設けている。ボディ体４は、カバー体１の突設部１ｅと対応する隅部において、ボディ体４の内底面から突出する円柱状の突部４ｊを備えている。突部４ｊには、螺子７ｆの螺子部７ｆ１をボディ体４の背面側から貫挿させる螺子挿通孔４ｅ１が貫設されている（図１および図８を参照）。カバー体１の突設部１ｅには、螺子挿通孔４ｅ１から突出する螺子７ｆの螺子部７ｆ１が螺子合いされる螺子合孔１ｅ１を設けている。コンセント１０は、カバー体１の突設部１ｅと、ボディ体４の突部４ｊとを当接させ、ボディ体４の背面側から挿入する螺子７ｆにより螺子止め可能となるように構成している。コンセント１０は、カバー体１とボディ体４とが螺子７ｆにより螺子合いされる。コンセント１０は、ボディ体４の背面側から螺子挿通孔４ｅ１に螺子７ｆを挿入し、カバー体１における突設部１ｅの螺子挿通孔１ｅ１に螺子合いさせることにより、カバー体１とボディ体４とを一体に固定している。
【００３８】
カバー体１とボディ体４とが固定された本実施形態のコンセント１０は、外形が図６ないし図１０に示すように箱体状となっている。なお、コンセント１０は、図７に示すカバー体１の左側面図と図示していない右側面図とは対称形である。また、コンセント１０は、図９に示すコンセント１０の底面図と図示していない平面図とは対称形である。
【００３９】
カバー体１は、樹脂材料（たとえば、ユリア樹脂など）を用いて、端子挿入口１ａａが貫設されたカバー部１ａとカバー部１ａの背面側から突出する軸部１ｂなどとを一体成形品として形成することができる。カバー体１は、加熱溶融させた電気絶縁性の樹脂材料を金型内に射出注入し、冷却固化させる射出成形により一体成形品として形成することができる。同様に、ボディ体４は、加熱溶融させた電気絶縁性の樹脂材料を金型内に射出注入し、冷却固化させる射出成形により一体成形品として形成することができる。
【００４０】
また、本実施形態のコンセント１０は、接続端子４ｃが円柱状のピンだけに限られず、平刃の栓刃など他の形状を備えたものであってもよい。さらに、本実施形態のコンセント１０は、上記電源プラグの一対のピンそれぞれが挿入される２つの丸い端子挿入口１ａａ，１ａａが貫設されたものだけに限られず、平刃など他の形状の栓刃が挿入されるものであってもよい。また、コンセント１０は、扉体２が軸部１ｂの軸回りに回動することを阻害しない限り、端子挿入口１ａａに加えて電気器具側の接地極端子を挿入する接地極端子挿入口（図示していない）を備えることもできる。
【００４１】
以下、本実施形態のコンセント１０の組立工程について説明する。
【００４２】
最初に、コンセント１０のカバー体１側における組み立てについて説明する。
【００４３】
本実施形態のコンセント１０は、外形が円筒状で螺旋に巻回したばね体３の他端部を扉体２の中央部における挿通孔２ｂの近傍の貫通穴２ｇに扉体２の正面側から挿入して扉体２の背面側に引き掛けて係止する。次に、コンセント１０は、コンセント１０のカバー体１側において、カバー体１の背面側となる凹部１ｃの外底面の中央部に突設した軸部１ｂに、ばね体３および扉体２が外挿される。コンセント１０は、ばね体３の一端部をカバー体１の軸部１ｂ近傍に設けた切欠穴１ｇの内部における係止片に引き掛けて係止する。この際、扉体２は、扉体２の貫通孔部２ｃにカバー体１の規制壁１ｄを挿入する。扉体２は、ばね体３により軸部１ｂの軸回りに付勢され、扉体２に設けた貫通孔部２ｃ，２ｃとカバー体１に設けた端子挿入口１ａａ，１ａａとが軸部１ｂの軸回りに所定の角度（たとえば、３０°）でずれるように構成している。そのため、コンセント１０は、上記電源プラグの端子が挿入されていない状態では、端子挿入口１ａａを扉部２ａが閉塞した状態にあり、端子挿入口１ａａから端子以外の異物の誤挿入を抑制することが可能となる。
【００４４】
次に、コンセント１０のボディ体４側における組み立てについて説明する。
【００４５】
本実施形態のコンセント１０は、射出成形により、ボディ体４の背面側に接続端子４ｃをボディ体４と一体成形で形成している。コンセント１０は、ボディ体４側において、螺子８ｃａによりボディ体４の正面側から給電端子４ｅを、ボディ体４側の接続端子４ｃに固定させている。また、コンセント１０は、ボディ体４側において、予めボディ体４の背面側に端子受けばね４ｄを介して接地部材４ｇを配置し、接地部材４ｇをボディ体４の正面側から弾性部材４ｂを介して固定螺子８ｂｃを用いて固定させている。さらに、コンセント１０は、ボディ体４側において、固定螺子８ｉａによりボディ体４の正面側から端子受部４ｉをボディ体４に固定させている。これにより、ボディ体４は、弾性部材４ｂの接触片４ｂａ、給電端子４ｅの端子片４ｅ３、端子受部４ｉの端子片４ｉ２がボディ体４の内底面側から突出した状態となる。
【００４６】
この状態で、コンセント１０は、予め電子部品を実装させたプリント配線板５ａをボディ体４側に積置する。コンセント１０は、ボディ体４の内底面側から突出するリブ４ｋなどでプリント配線板５ａを保持している。ここで、プリント配線板５ａでは、プリント配線板５ａの接続孔５ｅに給電端子４ｅの端子片４ｅ３が挿入される。また、プリント配線板５ａは、プリント配線板５ａの貫設孔５ｆに端子受部４ｉの端子片４ｉ２が挿入される。プリント配線板５ａでは、プリント配線板５ａの開口孔５ｈに弾性部材４ｂの一方の接触片４ｂａが挿通される。弾性部材４ｂの他方の接触片４ｂａは、プリント配線板５ａの外形の外側に配置される。
【００４７】
コンセント１０では、プリント配線板５ａの接続孔５ｅに挿入した端子片４ｅ３と、プリント配線板５ａ側の配線パターンとを電気的に接続するため、端子片４ｅ３と配線パターンとを半田付けなどする。同様に、コンセント１０では、プリント配線板５ａの貫設孔５ｆに挿入した端子片４ｉ２と、プリント配線板５ａ側の配線パターンとを電気的に接続するため、端子片４ｉ２と、配線パターンとを半田付けなどする。
【００４８】
最後に、コンセント１０のカバー体１側とボディ体４側とを組み合わせることについて説明する。
【００４９】
コンセント１０は、カバー体１の係合爪部１ｈとボディ体４の側突片４ｈの上記係合孔とを係合される。コンセント１０は、ボディ体４の内底面から突出する一対の扉体受け部４ａが扉体２をカバー体１と反対面側より支持して、扉体２が軸部１ｂから抜け出ないように、カバー体１側とボディ体４側とを合わせている。また、コンセント１０は、カバー体１の開口部１ｃｂから弾性部材４ｂの接触片４ｂａを突出させた状態で、カバー体１とボディ体４とをボディ体４の背面側からの螺子７ｆにより螺子止めされる。
【００５０】
こうして形成された本実施形態のコンセント１０は、電気器具側の上記電源プラグの端子が挿入されていない場合、コンセント１０の外部から端子挿入口１ａａ，１ａａを介してコンセント１０の内部に異物が誤挿入されることを、扉部２ａ，２ａが端子挿入口１ａａ，１ａａを塞いだ扉体２により抑制することができる。
【００５１】
本実施形態のコンセント１０は、電気器具側と接続させる場合、上記電源プラグの端子を端子挿入口１ａａに挿入して端子挿入口１ａａを閉塞する扉部２ａを押圧する。コンセント１０は、端子の挿入に伴い上記電源プラグの端子の挿入方向の奥側に傾斜した扉部２ｃの傾斜面に端子が当接してばね体３の弾性力に抗って扉体２を回動する方向に力が働く。コンセント１０は、端子が扉部２ａと当接して扉体２を回動し、扉体２に設けた貫通孔部２ｃ，２ｃとカバー体１に設けた端子挿入口１ａａとが合致した時点で上記端子をコンセント１０内部に収納した端子受けばね部４ｉ１に差し込み接続することができる。また、コンセント１０は、端子挿入口１ａａから上記電源プラグの端子が抜かれる場合、ばね体３の弾性力により扉体２が軸部１ｂの軸回りに回動し扉部２ａが端子挿入口１ａａを閉塞する。したがって、本実施形態のコンセント１０は、比較的簡単な構造で異物の誤挿入を抑制することが可能となる。
【符号の説明】
【００５２】
１  カバー体
１ａ  カバー部
１ａａ  端子挿入口
１ｂ軸部
２  扉体
２ａ  扉部
２ｃ  貫通孔部
３  ばね体
４  ボディ体
４ａ  扉体受け部
１０  コンセント
【図１】
2013161724.tif 000003
【図２】
2013161724.tif 000004
【図３】
2013161724.tif 000005
【図４】
2013161724.tif 000006
【図５】
2013161724.tif 000007
【図６】
2013161724.tif 000008
【図７】
2013161724.tif 000009
【図８】
2013161724.tif 000010
【図９】
2013161724.tif 000011
【図１０】
2013161724.tif 000012
【図１１】
2013161724.tif 000013
【図１２】
2013161724.tif 000014
【図１３】
2013161724.tif 000015